(57)【要約】【課題】質量分布の設計自由度が高いルアー２の提供。【解決手段】ルアー２は、ボディ８、重錘１０、ラインアイ１２、第一フックアイ１４及び第二フックアイ１６を備えている。ボディ８は、樹脂組成物から形成されている。この樹脂組成物の基材は、硬質合成樹脂である。この基材の密度は、０．９５ｇ／ｃｍ３以下である。ボディ８は、多数の気泡を含む。ボディ８の発泡倍率は、１．０５以上である。重錘１０の密度は、ボディ８の密度よりも大きい。重錘１０の密度ＤＷのボディ８の密度ＤＢに対する比（ＤＷ／ＤＢ）は、５以上である。重錘１０の質量ＷＷのルアー２の質量ＷＬに対する比（ＷＷ／ＷＬ）は、０．２０以上０．５５以下である。【選択図】図２
2014093971.tif 000002
【特許請求の範囲】
【請求項１】
多数の気泡を含むボディと、このボディの密度よりも大きな密度を有する重錘とを備えており、
上記ボディが樹脂組成物から形成されており、
上記樹脂組成物の基材が硬質合成樹脂であるルアー。
【請求項２】
上記ボディが自重によっては実質的に変形しない請求項１に記載のルアー。
【請求項３】
上記基材の密度が０．９５ｇ／ｃｍ３以下である請求項１又は２に記載のルアー。
【請求項４】
上記基材がポリプロピレン又はポリメチルペンテンである請求項３に記載のルアー。
【請求項５】
上記ボディの発泡倍率が１．０５以上である請求項１から４のいずれかに記載のルアー。
【請求項６】
上記重錘の密度ＤＷの、上記ボディの密度ＤＢに対する比（ＤＷ／ＤＢ）が、５以上である請求項１から５のいずれかに記載のルアー。
【請求項７】
上記重錘の質量ＷＷの、上記ルアーの質量ＷＬに対する比（ＷＷ／ＷＬ）が、０．２０以上０．５５以下である請求項１から６のいずれかに記載のルアー。
【請求項８】
上記重錘が、上記ボディの内部において、前方位置と後方位置との間を移動しうる請求項１から７のいずれかに記載のルアー。
【発明の詳細な説明】
【技術分野】
【０００１】
本発明は、釣りに用いられるルアーに関する。詳細には、本発明は、ボディと重錘とを有するルアーに関する。
【背景技術】
【０００２】
オオクチバス、ブリ及びその幼魚、スズキ等の大型の魚は、ベイトとして小魚を補食する。これら大型の魚は、フィッシュイーターと称されている。フィッシュイーターを捕獲する手段として、ルアーフィッシングが普及している。ルアーフィッシングでは、小魚等に疑似されたルアーが用いられる。ルアーは、キャストされることにより空中を飛行し、やがて着水する。ラインが巻かれることで、ルアーは水中を泳ぐ。このルアーをベイトと勘違いしたフィッシュイーターは、ルアーに食いつく。ルアーに取り付けられたフックがフィッシュイーターに刺さり、フィッシュイーターが釣り上げられる。
【０００３】
一般的なルアーは、ボディと、このボディに内蔵された重錘とを備えている。ボディは、ＡＢＳ樹脂のような硬質合成樹脂から形成されている。重錘は、金属から形成されている。重錘の密度は、ボディの密度よりも大きい。
【０００４】
重錘により、ルアーの適正な質量分布が達成されうる。飛行時の姿勢が適正となるように質量分布が設定されたルアーが、存在する。水中での姿勢が適正となるように質量分布が設定されたルアーも、存在する。
【０００５】
重錘の質量の調整により、ルアー働く浮力が適正化されうる。
【０００６】
質量の大きな重錘が採用されれば、質量の大きなルアーが得られうる。質量の大きなルアーの飛距離は、大きい。
【０００７】
特開２００１−２９９１５４公報には、重心移動式のルアーが開示されている。このルアーでは、ボディに内蔵された重錘が前後方向に移動しうる。空中を飛行するとき、重錘は後側（つまりテール側）に位置する。換言すれば、飛行時のルアーの重心は、後寄りである。ルアーは、テールを先頭にして飛行する。この飛行姿勢における空気抵抗は小さいので、ルアーは遠方へとキャストされうる。着水後、磁石に引かれて重錘は前側へと移動する。水中では、重錘は前側に位置する。換言すれば、水中でのルアーの重心は、前寄りである。この重心位置は、好ましい水中姿勢に寄与する。
【０００８】
ボディが軟質合成樹脂から形成されたルアーが存在する。このルアーは、ワームと称されている。特開２００５−１２４５５７公報には、ボディが軟質合成樹脂の発泡体であるルアーが開示されている。
【先行技術文献】
【特許文献】
【０００９】
【特許文献１】特開２００１−２９９１５４公報
【特許文献２】特開２００５−１２４５５７公報
【発明の概要】
【発明が解決しようとする課題】
【００１０】
前述の通り、質量の大きな重錘が採用されれば、質量の大きなルアーが得られうる。質量の大きなルアーの飛距離は、大きい。しかし、ルアーの質量が過大であると、キャスト時の竿への負担が大きい。しかも、質量が過大であるルアーでは、このルアーに働く浮力が不適切である。重錘の質量には、限界がある。従って、この重錘による質量分布の調整にも、限界がある。
【００１１】
本発明の目的は、質量分布の設計自由度が高いルアーの提供にある。
【課題を解決するための手段】
【００１２】
本発明に係るルアーは、多数の気泡を含むボディと、このボディの密度よりも大きな密度を有する重錘とを備える。このボディは、樹脂組成物から形成されている。この樹脂組成物の基材は、硬質合成樹脂である。
【００１３】
好ましくは、ボディは、自重によっては実質的には変形しない。
【００１４】
好ましくは、基材の密度は、０．９５ｇ／ｃｍ３以下である。好ましい基材として、ポリプロピレン及びポリメチルペンテンが例示される。
【００１５】
好ましくは、ボディの発泡倍率は、１．０５以上である。好ましくは、錘の密度ＤＷのボディの密度ＤＢに対する比（ＤＷ／ＤＢ）は、５以上である。
【００１６】
好ましくは、重錘の質量ＷＷのルアーの質量ＷＬに対する比（ＷＷ／ＷＬ）は、０．２０以上０．５５以下である。
【００１７】
好ましくは、重錘は、ボディの内部において前方位置と後方位置との間を移動しうる。
【発明の効果】
【００１８】
本発明に係るルアーのボディは、多数の気泡を含むので低比重である。このボディの質量は小さい。従って、質量ＷＷの大きな重錘が採用されても、適正なルアーの質量ＷＬが達成されうる。このルアーの質量は、重錘の位置に偏在する。このルアーでは、重錘の位置の変化により、重心位置が大きく変化する。このルアーでは、質量分布の設計自由度が高い。
【図面の簡単な説明】
【００１９】
【図１】図１は、本発明の一実施形態に係るルアーが第一フック及び第二フックと共に示された正面図である。
【図２】図２は、図１のルアーが示された断面図である。
【図３】図３は、図１のルアーのボディの剛性の試験方法が示された正面図である。
【図４】図４は、本発明の他の実施形態に係るルアーが示された断面図である。
【図５】図５は、図４のルアーの飛行状態が示された断面図である。
【図６】図６は、本発明のさらに他の実施形態に係るルアーが示された断面図である。
【図７】図７は、図６のルアーの飛行状態が示された断面図である。
【図８】図８は、本発明のさらに他の実施形態に係るルアーが第一フック及び第二フックと共に示された断面図である。
【図９】図９は、図８のルアーの飛行状態が示された断面図である。
【発明を実施するための形態】
【００２０】
以下、適宜図面が参照されつつ、好ましい実施形態に基づいて本発明が詳細に説明される。
【００２１】
図１には、本発明の一実施形態に係るルアー２が、第一フック４及び第二フック６と共に示されている。図２には、このルアー２の断面が示されている。このルアー２は、ボディ８、重錘１０、ラインアイ１２、第一フックアイ１４及び第二フックアイ１６を備えている。
【００２２】
ボディ８は、ベイトである小魚に類似の外形を有する。ボディ８は、樹脂組成物から形成されている。ボディ８は、発泡体である。換言すれば、ボディ８は、多数の気泡を含んでいる。気泡を含んだボディ８の密度ＤＢは、小さい。ボディ８は、中空である。このボディ８は、チャンバー１８を備えている。
【００２３】
重錘１０は、チャンバー１８に収容されている。重錘１０は、ボディ８に固定されている。固定は、接着剤によってなされている。重錘１０の密度ＤＷは、ボディ８の密度ＤＢよりも大きい。重錘１０の材質として、スチール、ステンレススチール、鉛、鉛合金、タングステン合金、モリブデン合金等が例示される。
【００２４】
ラインアイ１２は、金属線が曲げられることによって形成されている。金属線の一部は、ボディ８に埋設されている。この埋設により、ラインアイ１２がボディ８に取り付けられている。ラインアイ１２には、直接に、又はスプリットリング等を介して、ラインが連結される。
【００２５】
第一フックアイ１４は、金属線が曲げられることによって形成されている。金属線の一部は、ボディ８に埋設されている。この埋設により、第一フックアイ１４がボディ８に取り付けられている。図１に示されるように、第一フックアイ１４には、スプリットリング２０を介して、第一フック４が連結されている。
【００２６】
第二フックアイ１６は、金属線が曲げられることによって形成されている。金属線の一部は、ボディ８に埋設されている。この埋設により、第二フックアイ１６がボディ８に取り付けられている。図１に示されるように、第二フックアイ１６には、スプリットリング２２を介して、第二フック６が連結されている。
【００２７】
前述の通り、ボディ８は、気泡を含んでいるので、気泡を含んでいない従来のルアーのボディよりも軽い。このルアー２では、ボディ８が軽いので、従来のルアーの重錘のよりも重い重錘１０が採用されうる。軽いボディ８と重い重錘１０とを備えたルアー２では、質量分布が重錘１０の近傍に偏在する。このルアー２では、慣性モーメントが小さい。このルアー２では、従来のルアーにはない泳ぎが達成されうる。
【００２８】
気泡は、樹脂マトリクス中に分散している。この気泡は、発泡剤の発泡によって得られる。樹脂マトリクス中に「マイクロバルーン」と称される多数の微小中空球が分散することにより、気泡が得られてもよい。
【００２９】
重錘１０が重いので、この重錘１０の固定位置を変化させることにより、ルアー２の重心位置が大きく変化する。このルアー２では、質量分布の設計自由度が高い。
【００３０】
軽いボディ８が得られうるとの観点から、ボディ８の発泡倍率は１．０５以上が好ましく、１．１０上が特に好ましい。ボディ８の強度の観点から、発泡倍率は１．５０以下が好ましい。発泡倍率は、気泡を含まない樹脂組成物（つまり発泡剤の発泡前の樹脂組成物）の体積に対する、気泡を含む樹脂組成物（つまり発泡剤の発泡後の樹脂組成物）の体積の比である。
【００３１】
設計自由度の観点から、重錘１０の密度ＤＷのボディ８の密度ＤＢに対する比（ＤＷ／ＤＢ）は、５以上が好ましく、７以上がより好ましく、８以上が特に好ましい。比（ＤＷ／ＤＢ）は、２０以下が好ましい。
【００３２】
設計自由度の観点から、重錘１０の質量ＷＷのルアー２の質量ＷＬに対する比（ＷＷ／ＷＬ）は、０．２０以上が好ましく、０．３０以上が特に好ましい。比（ＷＷ／ＷＬ）は、０．５５以下が好ましい。
【００３３】
ボディ８の樹脂組成物の基材は、硬質合成樹脂である。このボディ８は、高剛性である。このボディ８は、自重によっては実質的に変形しない。このルアー２は、いわゆるワーム系ではない。
【００３４】
図３は、ボディ８の剛性の試験方法が示された正面図である。この試験方法では、テール側端２４からの距離Ｌ１がボディ８の全長Ｌ２の２０％である位置にて、ボディ８がチャックされる。もしボディ８が低剛性なら、図３において二点鎖線で示されるように、ボディ８が変形する。このときのヘッド側端の変形量Ｌ３が測定される。変形量Ｌ３が全長Ｌ２の１％以下であるとき、本発明では、「ボディは自重によっては実質的に変形しない」とされる。測定は、大気圧下で行われる。測定は、２３℃の温度下で行われる。
【００３５】
設計自由度の観点から、基材の密度が０．９５ｇ／ｃｍ３以下である樹脂組成物からボディ８が形成されることが好ましい。基材の密度は、０．９０ｇ／ｃｍ３以下がより好ましく、０．８５ｇ／ｃｍ３以下が特に好ましい。密度は、０．４０ｇ／ｃｍ３以上が好ましい。
【００３６】
密度が小さな硬質合成樹脂として、ポリプロピレン及びポリメチルペンテンが例示される。非結晶性ポリプロピレン及び結晶性ポリプロピレンが、ボディ８に用いられうる。非結晶性ポリプロピレンの密度は、約０．８６ｇ／ｃｍ３である。結晶性ポリプロピレンの密度は、約０．９５ｇ／ｃｍ３である。ポリメチルペンテンの密度は、約０．８３ｇ／ｃｍ３である。
【００３７】
ボディ８の表面に、ペイント層が設けられてもよい。ペイント層は、ペイントの塗布によって形成される。ペイントの塗布に先立ち、ボディ８にプライマーが塗布されてもよい。
【００３８】
図４には、本発明の他の実施形態に係るルアー２６が示されている。このルアー２６は、ボディ２８、２つの重錘３０、ラインアイ３２、第一フックアイ３４、第二フックアイ３６及びマグネット３８を備えている。
【００３９】
ボディ２８は、多数の気泡を含んでいる。ボディ２８の材質は、図１及び２に示されたルアー２のボディ８の材質と同等である。このボディ２８は、自重によっては変形しない。このボディ２８は、軽い。ボディ２８は、中空である。このボディ２８は、ガイド室４０を備えている。
【００４０】
重錘３０は、ガイド室４０に収容されている。それぞれの重錘３０は、球状である。重錘３０は、ガイド室４０の中において、前後方向に移動しうる。図４には、実線にて前方位置にある重錘３０が示されており、二点鎖線にて後方位置にある重錘３０が示されている。この重錘３０の材質は、図１及び２に示されたルアー２の重錘１０の材質と同等である。この重錘３０は、重い。
【００４１】
マグネット３８は、ガイド室４０に収容されている。マグネット３８は、ガイド室４０の前端に位置している。マグネット３８は、接着剤により、ボディ２８に固定されている。
【００４２】
図４に示された状態では、重錘３０は前方位置にある。マグネット３８は、重錘３０を吸着している。このマグネット３８により、重錘３０の位置が固定されている。重錘３０が前方位置にあるルアー２６の重心位置は、水中での泳ぎに適している。
【００４３】
図５には、このルアー２６の飛行状態が示されている。ルアー２６は、矢印Ａで示される方向に進んでいる。キャスト時の遠心力により、重錘３０はマグネット３８から離れ、後方位置へと移動する。ボディ２８は軽くかつ重錘３０は重いので、重錘３０が後方位置にあるとき、ルアー２６の質量分布が大きく後方に偏る。このルアー２６は、テールを先頭にして飛行する。このときの空気抵抗は、小さい。このルアー２６では、大きな飛距離が達成されうる。着水後、重錘３０は前方位置へと移動する。
【００４４】
設計自由度の観点から、重錘３０の合計質量ＷＷのルアー２６の質量ＷＬに対する比（ＷＷ／ＷＬ）は、０．２０以上が好ましく、０．３０以上が特に好ましい。比（ＷＷ／ＷＬ）は、０．５５以下が好ましい。
【００４５】
図６には、本発明のさらに他の実施形態に係るルアー４２が示されている。このルアー４２は、ボディ４４、重錘４６、ラインアイ４８、第一フックアイ５０、第二フックアイ５２及びコイル５４を備えている。
【００４６】
ボディ４４は、多数の気泡を含んでいる。ボディ４４の材質は、図１及び２に示されたルアー２のボディ８の材質と同等である。このボディ４４は、自重によっては変形しない。このボディ４４は、軽い。ボディ４４は、中空である。このボディ４４は、ガイド室５６を備えている。
【００４７】
重錘４６は、ガイド室５６に収容されている。重錘４６は、円柱状である。重錘４６は、ガイド室５６の中において、前後方向に移動しうる。図４には、前方位置にある重錘４６が示されている。この重錘４６の材質は、図１及び２に示されたルアー２の重錘１０の材質と同等である。この重錘４６は、重い。
【００４８】
コイル５４の前端は、重錘４６に固定されている。コイル５４の後端は、ガイド室５６の後方において、ボディ４４に固定されている。このコイル５４は、圧縮バネである。このコイル５４により、重錘４６が前方へと付勢されている。重錘４６が前方位置にあるルアー４２の重心位置は、水中での泳ぎに適している。
【００４９】
図７には、このルアー４２の飛行状態が示されている。ルアー４２は、矢印Ａで示される方向に進んでいる。キャスト時の遠心力により、重錘４６が後方位置へと移動する。このとき、コイル５４が収縮する。ボディ４４は軽くかつ重錘４６は重いので、重錘４６が後方位置にあるとき、ルアー４２の質量分布が大きく後方に偏る。このルアー４２は、テールを先頭にして飛行する。このときの空気抵抗は、小さい。このルアー４２では、大きな飛距離が達成されうる。着水後、コイル５４が重錘４６を前方位置へと押し戻す。
【００５０】
設計自由度の観点から、重錘４６の質量ＷＷのルアー４２の質量ＷＬに対する比（ＷＷ／ＷＬ）は、０．２０以上が好ましく、０．３０以上が特に好ましい。比（ＷＷ／ＷＬ）は、０．５５以下が好ましい。
【００５１】
図８には、本発明のさらに他の実施形態に係るルアー５８が第一フック６０及び第二フック６２と共に示されている。図９には、このルアー５８の飛行状態が示されている。このルアー５８は、ボディ６４、重錘６６、ラインアイ６８、第一フックアイ７０及び第二フックアイ７２を備えている。図８には、水に浮かんだ状態のルアー５８が示されている。図８では、ルアー５８は起立している。ルアー５８の前端の近傍は、水面７４よりも上方に位置している。
【００５２】
ボディ６４は、多数の気泡を含んでいる。ボディ６４の材質は、図１及び２に示されたルアー２のボディ８の材質と同等である。このボディ６４は、自重によっては変形しない。このボディ６４は、軽い。ボディ６４は、中空である。このボディ６４は、チャンバー７６を備えている。
【００５３】
重錘６６は、チャンバー７６に収容されている。重錘６６は、接着剤により、ボディ８に固定されている。この重錘６６の材質は、図１及び２に示されたルアー２の重錘１０の材質と同等である。この重錘６６は、重い。
【００５４】
重錘６６は、ボディ６４の後端の近傍に位置している。この重錘６６は重いので、ルアー５８の質量分布が後方に偏っている。この偏りにより、水中でのルアー５８の起立が達成される。
【００５５】
図９では、ルアー５８は、矢印Ａで示される方向に進んでいる。前述の通り、ルアー５８の質量分布が後方に偏っているので、このルアー５８は、テールを先頭にして飛行する。このときの空気抵抗は、小さい。このルアー５８では、大きな飛距離が達成されうる。
【００５６】
設計自由度の観点から、重錘６６の合計質量ＷＷのルアー５８の質量ＷＬに対する比（ＷＷ／ＷＬ）は、０．２０以上が好ましく、０．３０以上が特に好ましい。比（ＷＷ／ＷＬ）は、０．５５以下が好ましい。
【産業上の利用可能性】
【００５７】
本発明に係るルアーは、湖沼、池、ダム、川、海等の種々のフィールドでの釣りに適している。本発明に係るルアーには、餌木、スッテ及びイカヅノが含まれる。
【符号の説明】
【００５８】
２、２６、４２、５８・・・ルアー
８、２８、４４、６４・・・ボディ
１０、３０、４６、６６・・・重錘
３８・・・マグネット
５４・・・コイル
【図１】
2014093971.tif 000003
【図２】
2014093971.tif 000004
【図３】
2014093971.tif 000005
【図４】
2014093971.tif 000006
【図５】
2014093971.tif 000007
【図６】
2014093971.tif 000008
【図７】
2014093971.tif 000009
【図８】
2014093971.tif 000010
【図９】
2014093971.tif 000011